【手続補正書】
【提出日】平成17年5月30日(2005.5.30)
【手続補正１】
【補正対象書類名】明細書
【補正対象項目名】特許請求の範囲
【補正方法】変更
【補正の内容】
【特許請求の範囲】
【請求項１】
再利用対象装置をサーバによって管理する再利用対象装置の管理方法であって、
前記サーバが、
再利用対象装置の使用情報を、通信回線を介して受信し、
受信した前記使用情報に基づいて、前記再利用対象装置に装備された部品の再利用について診断した診断情報を生成し、
生成された診断情報に基づいて、前記部品を再利用するための再利用情報または前記再利用対象装置の回収に関する回収情報を設定し、
設定された再利用情報または回収情報に基づいて、前記再利用対象装置を処理する処理場を識別するための識別情報を決定し、
決定された識別情報に該当する処理場に属する処理端末に、前記再利用情報または前記回収情報を通知する
ことを特徴とする再利用対象装置の管理方法。
【請求項２】
前記回収情報を、通信回線に接続された前記再利用対象装置へ向けて出力し、印刷させることを特徴とする請求項１に記載の再利用対象装置の管理方法。
【請求項３】
前記再利用情報として、再利用対象装置に装備された部品の抜き取り指示、該部品の大きさ、重量及び材質の少なくとも一つを表す素材情報に基づく処理の指示の少なくとも一方の指示を含むことを特徴とする請求項１または請求項２に記載の再利用対象装置の管理方法。
【請求項４】
前記部品を再利用するための優先順位を設定しかつ前記再利用情報を蓄積し、前記再利用対象装置の少なくとも一部を生産するときの生産管理側からの生産計画情報を受け取り、蓄積された再利用情報及び前記生産計画情報に基づいて前記部品を再利用するための再利用対象装置を決定することを特徴とする請求項１乃至請求項３の何れか１項に記載の再利用対象装置の管理方法。
【請求項５】
前記診断情報に、前記部品を再利用する診断結果が含まれないとき、前記再利用情報を再資源化情報として設定することを特徴とする請求項１乃至請求項４の何れか１項に記載の再利用対象装置の管理方法。
【請求項６】
再利用対象装置の使用情報を、通信回線を介して受信する受信手段と、
受信した前記使用情報に基づいて、前記再利用対象装置に装備された部品の再利用について診断した診断情報を生成する生成手段と、
生成された診断情報に基づいて、前記部品を再利用するための再利用情報または前記再利用対象装置の回収に関する回収情報を設定する設定手段と、
設定された再利用情報及び回収情報に基づいて、再利用対象装置を処理する処理場を識別するための識別情報を決定する決定手段と、
決定された前記識別情報に該当する処理場に属する処理端末に、前記再利用情報または前記回収情報を通知する通知手段と、
を備えたことを特徴とする再利用対象装置の管理サーバ。
【請求項７】
前記回収情報を、通信回線に接続された前記再利用対象装置へ向けて出力し、印刷させる出力手段をさらに備えたことを特徴とする請求項６に記載の再利用対象装置の管理サーバ。
【請求項８】
前記設定手段は、前記再利用情報として、再利用対象装置に装備された部品の抜き取り指示、該部品の大きさ、重量及び材質の少なくとも一つを表す素材情報に基づく処理の指示の少なくとも一方の指示を含めて設定することを特徴とする請求項６または請求項７に記載の再利用対象装置の管理サーバ。
【請求項９】
前記部品を再利用するための優先順位を設定しかつ前記再利用情報を蓄積する蓄積手段と、前記再利用対象装置の少なくとも一部を生産するときの生産管理側からの生産計画情報を受け取る受信手段と、蓄積された再利用情報及び前記生産計画情報に基づいて前記部品を再利用するための再利用対象装置を決定する特定手段とをさらに備えたことを特徴とする請求項６乃至請求項８の何れか１項に記載の再利用対象装置の管理サーバ。
【請求項１０】
前記設定手段は、前記診断情報に、前記部品を再利用する診断結果が含まれないとき、前記再利用情報を再資源化情報として設定することを特徴とする請求項６乃至請求項９の何れか１項に記載の再利用対象装置の管理サーバ。
【請求項１１】
再利用対象装置を管理するコンピュータにおいて実行するための再利用対象装置の管理プログラムであって、
再利用対象装置の使用情報を、通信回線を介して受信させ、
受信された前記使用情報に基づいて、前記再利用対象装置に装備された部品の再利用について診断した診断情報を生成させ、
生成された診断情報に基づいて、前記部品を再利用するための再利用情報または前記再利用対象装置の回収に関する回収情報を設定させ、
前記再利用情報または前記回収情報に基づいて前記再利用対象装置を処理する処理場を識別するための識別情報を決定させ、
決定された前記記識別情報に該当する通信回線に接続された処理場に属する処理端末に前記再利用情報または前記回収情報を通知させる
ことを特徴とする再利用対象装置の管理プログラム。
【請求項１２】
再利用対象装置を管理するコンピュータにおいて実行するための再利用対象装置の管理プログラムを記憶した記憶媒体であって、
再利用対象装置の使用情報を、通信回線を介して受信させ、
受信された前記使用情報に基づいて、前記再利用対象装置に装備された部品の再利用について診断した診断情報を生成させ、
生成された診断情報に基づいて、前記部品を再利用するための再利用情報または前記再利用対象装置の回収に関する回収情報を設定させ、
前記再利用情報または前記回収情報に基づいて前記再利用対象装置を処理する処理場を識別するための識別情報を決定させ、
決定された前記記識別情報に該当する通信回線に接続された処理場に属する処理端末に前記再利用情報または前記回収情報を通知させる
ことを特徴とする再利用対象装置の管理プログラムを記憶した記憶媒体。
【手続補正２】
【補正対象書類名】明細書
【補正対象項目名】０００７
【補正方法】変更
【補正の内容】
【０００７】
詳細には、本発明の再利用対象装置の管理方法は、再利用対象装置をサーバによって管理する再利用対象装置の管理方法であって、前記サーバが、再利用対象装置の使用情報を、通信回線を介して受信し、受信した前記使用情報に基づいて、前記再利用対象装置に装備された部品の再利用について診断した診断情報を生成し、生成された診断情報に基づいて、前記部品を再利用するための再利用情報または前記再利用対象装置の回収に関する回収情報を設定し、設定された再利用情報または回収情報に基づいて、前記再利用対象装置を処理する処理場を識別するための識別情報を決定し、決定された識別情報に該当する処理場に属する処理端末に、前記再利用情報または前記回収情報を通知することを特徴とする。
【手続補正３】
【補正対象書類名】明細書
【補正対象項目名】００１８
【補正方法】変更
【補正の内容】
【００１８】
前記再利用対象装置の管理方法は、次の管理プログラムにより、何れのコンピュータであっても容易に実行が可能になる。詳細には、再利用対象装置の管理プログラムは、再利用対象装置を管理するコンピュータにおいて実行するための再利用対象装置の管理プログラムであって、再利用対象装置の使用情報を、通信回線を介して受信させ、受信された前記使用情報に基づいて、前記再利用対象装置に装備された部品の再利用について診断した診断情報を生成させ、生成された診断情報に基づいて、前記部品を再利用するための再利用情報または前記再利用対象装置の回収に関する回収情報を設定させ、前記再利用情報または前記回収情報に基づいて前記再利用対象装置を処理する処理場を識別するための識別情報を決定させ、決定された前記記識別情報に該当する通信回線に接続された処理場に属する処理端末に前記再利用情報または前記回収情報を通知させることを特徴とする。この管理プログラムは、再利用対象装置の少なくとも一部を、再利用することを含めて再利用対象装置を管理するサーバで実行されることが好ましい。
【手続補正４】
【補正対象書類名】明細書
【補正対象項目名】００１９
【補正方法】変更
【補正の内容】
【００１９】
また、前記再利用対象装置の管理方法は、次の媒体に記憶させることで前記再利用対象装置の管理方法による処理機能を実行させるためのプログラムを携行可能となり、媒体に記憶されたプログラムをコンピュータで実行させることにより、何れのコンピュータであっても容易に実施が可能となる。詳細には、記憶媒体は、再利用対象装置を管理するコンピュータにおいて実行するための再利用対象装置の管理プログラムを記憶した記憶媒体であって、再利用対象装置の使用情報を、通信回線を介して受信させ、受信された前記使用情報に基づいて、前記再利用対象装置に装備された部品の再利用について診断した診断情報を生成させ、生成された診断情報に基づいて、前記部品を再利用するための再利用情報または前記再利用対象装置の回収に関する回収情報を設定させ、前記再利用情報または前記回収情報に基づいて前記再利用対象装置を処理する処理場を識別するための識別情報を決定させ、決定された前記記識別情報に該当する通信回線に接続された処理場に属する処理端末に前記再利用情報または前記回収情報を通知させることを特徴とする再利用対象装置の管理プログラムを記憶する。